(57)【特許請求の範囲】
【請求項１】
壁面等に取り付けられるベースと、ベースに組み合わされてベースとの間に配管を収容するカバーとからなり、水平に配設される硬質樹脂製の保護ダクトを補強するものであって、ベースの一方の側壁から底面にわたって対応する形状を有しベースの内面に取着され、前記硬質樹脂よりも軟化点の高い部材により形成されていることを特徴とする保護ダクト補強板。
【請求項２】
保護ダクト補強板は、ベースを壁面等にねじ止めする際に用いられるねじ孔の位置に応じたねじ孔を備えるようにしたことを特徴とする請求項１記載の保護ダクト補強板。
【発明の詳細な説明】
【０００１】
【発明の属する技術分野】
本発明は、壁面等に沿って配設されるエアコン用配管等を収容する保護ダクトの補強に用いられる保護ダクト補強板に関するものである。
【０００２】
【従来の技術】
従来、内部に配管や配線等を収納する保護ダクトとしては、例えば、実公昭５８−４９０１３号公報に開示されるものがある。このものは、長尺角筒型の一対の分割部材（ベースとカバー）を備えている。一方の分割部材（以下、ベースと記載）には、長手方向に所定間隔で並ぶ複数の固定具挿通孔が設けられている。固定具挿通孔は、ベースを壁面に固定するためのものであり、ねじ等の固定具が挿通されるようになっている。他方の分割部材（以下、カバーと記載）は、ベースと係合するものであり、ベースとの間の内部空間に冷媒管やドレン管を挿通保持する。ベースの壁面への固定の仕方としては、壁面にねじ孔を設け、ねじを固定具挿通孔を介してねじ孔に螺合させて締め付ける場合や、ねじ孔を設けずに、タッピングねじを固定具挿通孔を通して壁面にねじ込む場合が一般的である。
【０００３】
【発明が解決しようとする課題】
ところで、このものは、主として地面に対し垂直に配設されるが、施工場所によっては水平に配設されることも多々ある。ところが水平に配設された場合、夏期高温時において樹脂が高温になり軟化点に達すると、内部に収容される配管や配線の重みや自らの重みにより熱変形が生じることがあるという問題点を有していた。これに伴い、保護ダクトのみばえが悪くなったりカバーが脱落するといった問題が生じることがあった。
【０００４】
本発明は、上記の問題点に鑑みて成されたものであり、その目的とするところは、保護ダクトの熱変形を防止することが可能になる保護ダクト補強板を提供することにある。
【０００５】
【課題を解決するための手段】
請求項１記載の発明は、壁面等に取り付けられるベースと、ベースに組み合わされてベースとの間に配管を収容するカバーとからなり、水平に配設される硬質樹脂製の保護ダクトを補強するものであって、ベースの一方の側壁から底面にわたって対応する形状を有しベースの内面に取着され、前記硬質樹脂よりも軟化点の高い部材により形成されていることを特徴とするものである。
【０００６】
請求項２記載の発明は、請求項１記載の保護ダクト補強板において、保護ダクト補強板は、ベースを壁面等にねじ止めする際に用いられるねじ孔の位置に応じたねじ孔を備えるようにしたことを特徴とするものである。
【０００７】
【発明の実施の形態】
以下、本発明の第１の実施の形態に係る熱線型検知センサについて図１及び図５に基づき詳細に説明する。
【０００８】
この保護ダクトは、図１に示すように、ベース１と、カバー１２とを備え、例えば、室内から室外に配管や配線されるエアコン用の冷媒管やドレン管、電力線等の室外部分を、図５に示すように、壁面に沿って収容する。
【０００９】
ベース１は、所定長さを有する硬質樹脂製のものであり、壁面への取着壁２と、その幅方向両端部に立設される一対の対向側壁６、６とから、大略コ字状をなすように形成され、ねじ部材により壁面に取り付けられ配管や配線を収容する。
【００１０】
取着壁２は、壁面に当接する当接部３と、壁面にねじ止めするための取付孔５、…を有する取付部４とからなる。取付部４は、当接部３の中央に溝状に形成されるものであり、内方に突出するよう形成される。取付孔５は、取付部４の長手方向に所定間隔で設けられるものであり、ねじ部材の頭部より小さく、かつ、軸部の挿通が可能な尺度を有する。
【００１１】
対向側壁６は、後述するカバー１２と弾性係合するよう、左右外方に若干開くようにして設けられ、その先端部には、カバー１２の係合部１６が係合する被係合部７が設けられている。
【００１２】
被係合部７は、段部８と、係止部９と、係合溝１０とからなる。すなわち、対向側壁６の先端部分を取着壁２と略平行に内方に折曲することにより段部８が設けられ、そこからさらに取着壁２と離反する方向に向かって略直角に折曲し、その先端部を外方に向かって丸めることにより、段部８から所定間隔において、断面大略円形をなすヒンジ状の係止部９が設けられる。そして、所定間隔離れた段部８と係止部９との間の間隙を、係合溝１０としている。
【００１３】
ベース１には、ベース１が高温状態になったとしてもベース１の形状を保持する保護ダクト補強板Ａが取着されるようになっている。保護ダクト補強板Ａは、ベース１の一方の側壁６から当接部３を介して取付部４にわたって対応する形状を有しており、ＳＵＳ鋼やメッキ鋼といったベース１を形成する硬質樹脂よりも軟化点の高い部材により形成されている。保護ダクト補強板Ａは、取付孔５と同ピッチを有するねじ孔Ａ１、…を備えており、ベース１を壁面にねじ止めする際にあわせて保護ダクト補強板Ａをベース１の内面に取着することが可能になっている（図２参照）。
【００１４】
なお、保護ダクト補強板Ａのベース１内面への取着方法はこれに限られるものではなく、両面テープや接着剤等を用いて保護ダクト補強板Ａをベース１の内面に貼着するようにしてもよい。その場合、ねじ孔Ａ１は必要ないことはいうまでもない。また、保護ダクト補強板Ａはベース１と別体に設けられているため、ベース１の必要な場所に必要なだけ保護ダクト補強板Ａを取着することが可能になり、ベース１に保護ダクト補強板Ａを埋設する等により両者を一体に設けベース１の全面にわたって保護ダクト補強板Ａを取着する場合と比較して、保護ダクトを低コストで施工することが可能になる。
【００１５】
カバー１２は、ベース１と同様に所定長さを有する硬質樹脂製のものであり、ベース１と係合することにより組み合わされ、ベース１との間に配管や配線を収容する。カバー１２は、天板壁１３と、その幅方向両端部に立設された一対の係合壁１５、１５とからなる。天板壁１３は、ベース１と係合した状態においてベース１の取着壁２に対向するものであり、その幅方向の長さがベース１の対向側壁６、６間の最も狭い距離よりも短く形成される。この天板壁１３から係合壁１５に至るコーナー部１４は、テーパ状に形成される。
【００１６】
係合壁１５は、天板壁１３と略直角に設けられ、対向距離がベース１の対向側壁６、６間の距離と略同一に形成される。この係合壁１５には係合部１６が設けられ、ベース１の被係合部７に外方から係合する。係合部１６は、係合片１７と、補強係止部１８とからなる。係合片１７は、係合壁１５の先端部分を内方に向かって略直角に折曲することにより、ベース１の係合溝１０に係合するとともに段部８に平行に当接するように設けられる。この係合片１７は、その先端間の距離がベース１の係合溝１０の底部間の距離よりも若干短く形成されることにより、係合溝１０と弾性係合するようになっている。また、係合片１７から天板壁１３までの垂線の長さは、ベース１の段部８から取付部４までの垂線の長さよりも短く、あるいは略同一に形成される。
【００１７】
補強係止部１８は、係合片１７との間にベース１の係止部９を挟む位置に設けられるものであり、ベース１の係止部９に当接するとともに、天板壁１３側からの圧力を支持する。この補強係止部１８は、天板壁１３に略平行な当接片１９と、天板壁１３に略垂直な支持片２０とからなっている。
【００１８】
この保護ダクトは、次のようにして壁面に配設される。まず、ベース１を壁面に取付固定するために、壁面の所要の位置にねじ孔を設ける。このとき、ベース１がその一端部近傍の取付孔５と他端部近傍の取付孔５の２箇所、あるいは略中央の１箇所を加えて３箇所の取付孔５を利用して固定されるようねじ孔を設けるのが一般的である。次に、ベース１の取付孔５と壁面のねじ孔とが重なった状態で、ねじ部材、例えば木ねじをねじ孔に螺合させて締め付けることにより、ベース１が壁面に固定される。また、保護ダクト補強板Ａを取着する場合は、保護ダクト補強板Ａのねじ孔Ａ１と、ベース１の取付孔５と、壁面のねじ孔とが重なった状態でねじ部材を螺合させることになる。
【００１９】
ベース１及び保護ダクト補強板Ａを取着した後、冷媒管２０やドレンホース２１、ケーブル２２等をベース１に沿って収容配管し、カバー１２をベース１に係合させる。カバー１２のベース１への係合は、カバー１２の一方の係合片１７をベース１の一方の係合溝１０に係合させ、その状態でカバー１２の他方の係合片１７をベース１の他方の係止部９に当接し、ベース１の他方の側壁を内方に軽く押圧しながらカバー１２をベース１側に軽く押圧することによりなされる。これにより、カバー１２の他方の係合片１７がベース１の他方の係止部９上を外方に摺動し、ベース１の他方の係合溝１０に確実に係合する。逆にカバー１２を外したい場合は、ベース１の一方の側壁を軽く内方に押圧しながら、カバー１２の一方の係合片１７をベース１から離れる方向に軽く押圧することにより、カバー１２の係合片１７をベース１の係合溝１０から外すことができる。
【００２０】
本実施の形態の保護ダクト補強板Ａを取着した保護ダクトにあっては、夏期高温時等において太陽光の照射により樹脂が高温になり軟化点に達したとしても、ベース１の対向側壁６が保護ダクト補強板Ａにより支えられているため保護ダクト内方に向かって対向側壁６が倒れることを防止でき、カバー１２とベース１とが容易に外れることがなく、安定した堅固な係合状態を確保することが可能になる。
【００２１】
【発明の効果】
以上のように、請求項１記載の発明にあっては、壁面等に取り付けられるベースと、ベースに組み合わされてベースとの間に配管を収容するカバーとからなり、水平に配設される硬質樹脂製の保護ダクトを補強するものであって、ベースの一方の側壁から底面にわたって対応する形状を有しベースの内面に取着され、前記硬質樹脂よりも軟化点の高い部材により形成されるようにしたので、ベースの形状を保護ダクト補強板により補強／維持することができるため、保護ダクトの熱変形を防止することが可能になる保護ダクト補強板を提供することが可能になるという効果を奏する。また、保護ダクト補強板とベースとを別体に設けているため、ベースの必要箇所にのみ保護ダクト補強板を取着することが可能になり、不要なコストアップを防止することが可能になるという効果を奏する。
【００２２】
請求項２記載の発明にあっては、請求項１記載の保護ダクト補強板において、保護ダクト補強板は、ベースを壁面等にねじ止めする際に用いられるねじ孔の位置に応じたねじ孔を備えるようにしたので、ベースを壁面に固定する際に併せて保護ダクト補強板を取着することができ、施工を容易に行うことが可能になるという効果を奏する。
【図面の簡単な説明】
【図１】保護ダクトの正面図である。
【図２】ベースに保護ダクト補強板を取着する状態を示す斜視図である。
【図３】内部に配管や配線を収納した状態を示す保護ダクトの正面図である。
【図４】保護ダクトの分解正面図である。
【図５】保護ダクトの使用状態を示す斜視図である。
【符号の説明】
１    ベース
２    底面（取着壁）
６    側壁（対向側壁）
１２  カバー
Ａ    保護ダクト補強板
Ａ１  ねじ孔
【図１】
0003646555.tif 000002
【図２】
0003646555.tif 000003
【図３】
0003646555.tif 000004
【図４】
0003646555.tif 000005
【図５】
0003646555.tif 000006